(57)【要約】【課題】ＩＣカードとリーダライタとの通信可能な範囲を広げる。【解決手段】非接触型のＩＣカード１に対してデータの書き込み及び読み出しを行うためのリーダライタ５０用のアンテナ装置６０であり、このアンテナ装置６０は、電磁界を放射しＩＣカード１側のループコイル４と磁気結合してデータの送受信を行うループコイル６１を有し、このループコイル６１は、その中心部を挟んで相対向する各巻線間の間隔を異ならせた非対称形状とされている。【選択図】　図２
2004118440.tif 000002
【特許請求の範囲】
【請求項１】
誘導結合により非接触型のＩＣカードに対してデータの書き込み及び読み出しを行うためのリーダライタ用のアンテナ装置において、
上記誘導結合を行うための平面状に導線が巻線されたループコイルを有し、このループコイルは、その中心部を挟んで相対向する各巻線間の間隔を異ならせた非対称形状とされていることを特徴とするアンテナ装置。
【請求項２】
上記ループコイルは、上記各巻線間の間隔を上記ＩＣカードが走査される方向において異ならせたことを特徴とする請求項１記載のアンテナ装置。
【請求項３】
上記ループコイルは、誘導結合される上記ＩＣカード側のループコイルよりも小さいことを特徴とする請求項１記載のアンテナ装置。
【発明の詳細な説明】
【０００１】
【発明の属する技術分野】
本発明は、電磁場を誘導結合する非接触型のＩＣカードに対してデータの書き込み及び読み出しを行うためのリーダライタ用のアンテナ装置に関する。
【０００２】
【従来の技術】
近年、鉄道の自動改札機や、建物への入退出におけるセキュリティシステム、電子マネーシステム等の分野では、非接触式のＩＣカードやＩＣタグ等を用いた、いわゆるＲＦＩＤ（Ｒａｄｉｏ　Ｆｒｅｑｕｅｎｃｙ　ＩＤｅｎｔｉｆｉｃａｔｉｏｎ）システムが導入され始めている。このＲＦＩＤシステムは、図１０に模式的に示すように、非接触式ＩＣカード１００と、このＩＣカード１００に対してデータの書き込みや読み出しを行うリーダライタ１０１とから構成されている。そして、このＲＦシステムでは、電磁誘導の原理に基づいて、リーダライタ１０１側のループアンテナ１０２から磁場が放射されると、放射された磁場が誘導結合によってＩＣカード１００側のループアンテナ１０３と磁気的に結合し、ＩＣカード１００とリーダライタ１０１との間で通信が行われる。
【０００３】
したがって、このようなＲＦＩＤシステムでは、従来の接触型ＩＣカードシステムのように、リーダライタに対してＩＣカードを装填したり金属接点を接触させたりする手間が省け、簡易且つ高速にデータの書き込みや読み出しを行うことができる。
【０００４】
また、このＲＦＩＤシステムでは、リーダライタ１０１から送信される電磁場からＩＣカード１００に対して必要な電力が供給されるため、ＩＣカード内に電池等の電源を持つ必要がなく、メンテナンス性に優れた且つ低価格で信頼性の高いＩＣカードを提供することができる。
【０００５】
ところで、上述したＲＦＩＤシステムでは、ＩＣカード１００とリーダライタ１０１との十分な通信可能な範囲を確保するために、ある程度の磁界強度を持った電磁場を放射することのできるループアンテナ１０２をリーダライタ１０１側に設ける必要がある。
【０００６】
一般に、リーダライタ１０１用のループアンテナ１０２は、図１１に示すような平面状に導線が巻線されたループコイル２００からなっており、このループコイル２００は、その中心部を挟んで相対向する各巻線間の間隔及び線幅を等しくした対称形状を有している。なお、これらの具体例としては、Ｒｅａｄｅｒ／Ｗｒｉｔｅｒモジュール９１に接続された本体側アンテナ９０（例えば、特許文献１を参照。）や、リードライト装置ＲＷ２のＡＧ１，ＡＧ２，ＡＧ３（例えば、特許文献２を参照。）等が挙げられる。
【０００７】
したがって、このような対称形状を有するリーダライタ１０１用のループアンテナ１０２では、図１２に示すように、矩形アンテナの長辺におけるＺ方向の中心断面及び短辺におけるＸ方向の中心断面において、それぞれ対称な磁場分布となる。
【０００８】
また、このループアンテナ１０２によりＩＣカード１００に誘導された電流強度のカード位置依存性を図１３に示すと、ループコイル２００の中心部を挟んで相対向する位置に、２つの通信可能な領域Ｓ１’，Ｓ２’が形成されることになる。具体的に、通信可能な領域Ｓ１’は、リーダーライタ１０１側のループアンテナ１０２とＩＣカード１００側のループアンテナ１０３との互いに対向する各４辺から発生する磁界がそれぞれの位置で誘導結合した理想的な結合状態であるのに対して、この通信可能な領域Ｓ１’より外側になると、リーダーライタ１０１用のループアンテナ１０２が発生する磁場の向きが反転する中央の領域でＩＣカード１００側のループアンテナ１０３に錯交する磁場が互いに打ち消し合うために、誘導電流が通信に必要なレベル以下となる。さらに、外側に向かうとリーダーライタ１０１側のループアンテナ１０２とＩＣカード１００側のループアンテナ１０３との４辺のうち、１辺同士のみが結合するために、通信可能な領域Ｓ１’より誘導電流が小さく且つ狭い通信可能な領域Ｓ２’が現れる。
【０００９】
なお、図１３において、横軸の原点０は、リーダライタ１０１側のループアンテナ１０２の中心位置を示し、正方向は、ＩＣカード１００が原点０から外側に向う方向、すなわち−Ｚ方向を示す。一方、縦軸は、リーダライタ１０１側のループアンテナ１０２の磁界が電磁誘導によってＩＣカード１００側のループアンテナ１０３に発生させた誘導電流強度を示し、図１３中点線Ｓ’で示す値以上となる領域が通信可能な領域となる。
【００１０】
【特許文献１】
特開平１０−１４４０４８号公報（第３−４頁、第４図）
【特許文献２】
特開２００１−３３１８２９号公報（第１９頁、第１６図）
【００１１】
【発明が解決しようとする課題】
ところで、上述したＲＦＩＤシステムでは、ＩＣカード１００側のループアンテナ１０３とリーダライタ１０１側のループアンテナ１０２との中心位置が一致したところ、すなわち原点０から外側にできるだけ通信可能な領域Ｓ１’が連続的に広がるほど、使い勝手がよいことになる。
【００１２】
しかしながら、上述した従来のループコイル２００では、原点０から外側に向かうと、通信可能な領域Ｓ１’から一端外れて通信不可能な領域に入り、更に外側に向かうことによって通信可能な領域Ｓ２’に再び入ることになる。実用的な観点からは、通信可能な領域Ｓ１’と通信可能な領域Ｓ２’との間に通信不可能な領域のない、換言すれば、通信可能な領域Ｓ１’のみを広げることが望ましい。
【００１３】
そこで、本発明は、このような従来の事情に鑑みて提案されたものであり、放射電磁界分布を制御し且つ有効利用することによって、ＩＣカードとリーダライタとの通信可能な範囲を拡大することを可能としたリーダライタ用のアンテナ装置を提供することを目的とする。
【００１４】
【課題を解決するための手段】
この目的を達成するために、本発明に係るアンテナ装置は、誘導結合により非接触型のＩＣカードに対してデータの書き込み及び読み出しを行うためのリーダライタ用のアンテナ装置である。そして、このアンテナ装置は、誘導結合を行うための平面状に導線が巻線されたループコイルを有し、このループコイルは、その中心部を挟んで相対向する各巻線間の間隔を異ならせた非対称形状とされていることを特徴としている。
【００１５】
以上のように、本発明に係るアンテナ装置では、ループコイルを非対称形状とし、このループコイルによる放射電磁界分布を制御することによって、ＩＣカードとリーダライタとの通信可能な範囲を広げることができる。
【００１６】
【発明の実施の形態】
以下、本発明を適用したアンテナ装置について、図面を参照しながら詳細に説明する。
【００１７】
本発明を適用したＲＦＩＤシステムは、図１に示すように、非接触型ＩＣカード１と、このＩＣカード１に対してデータの書き込み及び読み出しを行うリーダライタ（以下、Ｒ／Ｗという。）５０とから構成されている。
【００１８】
ＩＣカード１は、例えばＩＳＯ７８１０に準拠した電池等の電源を持たないバッテリレスのＩＣカードである。このＩＣカードは、いわゆるクレジットカードと同サイズ、すなわち手のひらに乗る程度の大きさで矩形板状に形成されてなる。そして、このＩＣカード１は、その内部に設けられた基板上に、電磁場と結合してデータを送受信するループアンテナ２と、データの書き込み及び読み出しを行うための各種処理を行う電子回路が集積されたＩＣ（Ｉｎｔｅｇｒａｔｅｄ　Ｃｉｒｃｕｉｔ）３とを有している。
【００１９】
ループアンテナ２は、平面状に導線が巻線されたループコイル４からなり、このループコイル４と並列に接続されたコンデンサ５と共に共振回路を構成している。そして、このループアンテナ２は、後述するＲ／Ｗ５０側のループアンテナ５４から放射された電磁場と結合し、結合された電磁場を電気信号に変換した後、ＩＣに供給する。
【００２０】
ＩＣ３は、ループコイル４から供給された電気信号を整流平滑する整流回路６と、整流回路６から供給された電気信号を直流電力に変換するレギュレータ７と、整流回路６から供給された電気信号の高域成分を抽出するＨＰＦ（Ｈｉｇｈ　Ｐａｓｓ−Ｆｉｌｔｅｒ）８と、ＨＰＦ８から入力された高周波成分の信号を復調する復調回路９と、この復調回路９から供給されるデータに対応してデータの書き込み及び読み出しを制御するシーケンサ１０と、復調回路９から供給されるデータを記憶するメモリ１１と、ループコイル４により送信するデータを変調する変調回路１２とを有して構成される。
【００２１】
整流回路６は、ダイオード１３、抵抗１４及びコンデンサ１５から構成されている。このうち、ダイオード１３のアノード端子がループコイル４及びコンデンサ５の一端に接続され、ダイオード１３のカソード端子が抵抗１４及びコンデンサ１５の一端に接続され、抵抗１４及びコンデンサ１５の他端がループコイル４及びコンデンサ５の他端に接続されている。そして、この整流回路６は、ループコイル４から供給された電気信号を整流平滑した電気信号をレギュレータ７及びＨＰＦ８に出力する。
【００２２】
レギュレータ７は、上述した整流回路６のダイオード１３のカソード端子、抵抗１４及びコンデンサ１５の一端と接続されている。そして、このレギュレータ７は、整流回路６から供給された電気信号の電圧変動（データ成分）を抑制し、安定化した後、直流電力としてシーケンサ１０に供給する。これにより、シーケンサ１０等の誤動作の原因となる、例えばＩＣカード１の位置が動くことにより発生する電圧変動、並びにＩＣカード１内の消費電力の変化により発生する電圧変動が抑制される。
【００２３】
ＨＰＦ８は、コンデンサ１６及び抵抗１７により構成されており、上述した整流回路６から供給された電気信号の高域成分を抽出し、復調回路９に出力する。
【００２４】
復調回路９は、上述したＨＰＦ８のコンデンサ１６の他端及び抵抗１７の一端と接続されており、このＨＰＦ８から入力された高周波成分の信号を復調し、シーケンサ１０に出力する。
【００２５】
シーケンサ１０は、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）を内部に有しており、上述した復調回路９と接続されている。そして、このシーケンサ１０は、復調回路９から入力された信号（コマンド）をＲＡＭに記憶させ、ＲＯＭに内蔵されているプログラムに従ってこれを解析し、解析された結果に基づいて、必要に応じてメモリ１１に格納されているデータを読み出す。或いはメモリ１１に復調回路９から供給されるデータを書き込む。また、このシーケンサ１０は、コマンドに対応するレスポンスを返すために、レスポンス信号を生成し、変調回路１２に供給する。
【００２６】
メモリ１１は、データの保持に電力を必要としないＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）等の不揮発性メモリからなり、上述したシーケンサ１０と接続されている。そして、このメモリ１１は、シーケンサ１０の解析結果に基づいて、復調回路９から供給されるデータを記憶する。
【００２７】
変調回路１２は、インピーダンス１８とＦＥＴ（Ｆｉｅｌｄ　Ｅｆｆｅｃｔ　Ｔｒａｎｓｉｓｔｏｒ）１９との直列回路から構成されており、このうち、インピーダンス１８の一端が上述した整流回路６のダイオード１３のカソード端子に接続され、インピーダンス１８の他端がＦＥＴ１９のドレイン端子と接続され、ＦＥＴ１９のソース端子が接地点に接続され、ＦＥＴ１９のゲート端子がシーケンサ１０と接続されている。また、この変調回路１２は、上述した共振回路を構成するループコイル４と並列に接続されており、ＦＥＴ１９をシーケンサ１０からの信号に対応してスイッチング動作させ、ループコイル４に対するインピーダンス１８の負荷を変動させる、いわゆる付加変調方式を採用している。
【００２８】
これに対して、Ｒ／Ｗ５０は、送受信するデータの制御を行う制御回路５１と、データの変調及び復調を行う変調回路５２及び復調回路５３と、電磁場と結合してデータを送受信するループアンテナ５４とを有して構成される。
【００２９】
制御回路５１は、例えば外部からの指令や内蔵するプログラムに従って、各種制御用のコントロール信号を生成し、変調回路５２及び復調回路５３を制御すると共に、指令に対応した送信データを生成し、変調回路５２に供給する。また、制御回路５１は、復調回路５３からの応答データに基づいて、再生データを生成し、外部に出力する。
【００３０】
変調回路５２は、制御回路５１から入力された送信データを発信器が変調し、この変調した信号をループアンテナ５４に供給する。
【００３１】
復調回路５３は、ループアンテナ５４からの変調波を復調し、この復調したデータを制御回路５１に供給する。
【００３２】
ループアンテナ５４は、平面状に導線が巻線されたループコイルからなり、変調回路５２より供給された変調波に対応した電磁場を放射すると共に、ＩＣカード１側のループコイル４の負荷変動を検出する。なお、ループアンテナ５４には、Ｒ／Ｗ５０のアンテナ駆動回路方式に応じて、共振用のコンデンサが並列或いは直列に接続される場合もある。
【００３３】
以上のように構成されるＲＦＩＤシステムでは、ＩＤカード１に対して所定のデータの書き込みが指令されると、この指令に基づいて、Ｒ／Ｗ５０の制御回路５１が書き込みのためのコマンド信号を生成すると共に、指令に対応した送信データ（書き込みデータ）を生成し、変調回路５２に供給する。そして、変調回路５２は、入力された信号に基づいて、発振信号の振幅を変調し、ループアンテナ５４に供給する。そして、ループアンテナ５４は、入力された変調信号に対応する電磁波を放射する。
【００３４】
ここで、ＩＣカード１のループコイル４及びコンデンサ５からなる共振回路の共振周波数は、Ｒ／Ｗ５０からの発振周波数（キャリア周波数）に対応する値（例えば１３．５６ＭＨｚ）に設定されている。したがって、この共振回路は、放射された電磁場を共振動作により受信し、受信した電磁場を電気信号に変換した後、ＩＣ３に供給する。そして、変換された電気信号は、整流回路６に入力され、この整流回路６により整流平滑された後、レギュレータ７に供給される。そして、このレギュレータ７は、整流回路６から供給された電気信号の電圧変動（データ成分）を抑制し、安定化した後、直流電力としてシーケンサ１０に供給する。
【００３５】
また、整流回路６により整流平滑された信号は、変調回路１２を介してＨＰＦ８に供給され、高域成分が抽出された後、復調回路９に供給される。そして、この復調回路９は、入力された高周波成分の信号を復調し、シーケンサ１０に供給する。そして、このシーケンサ１０は、復調回路９から入力された信号（コマンド）をＲＡＭに記憶させ、ＲＯＭに内蔵されているプログラムに従ってこれを解析し、解析された結果に基づいて、メモリ１１に復調回路９から供給された書き込みデータを書き込む。
【００３６】
一方、シーケンサ１０は、復調回路９から入力された信号（コマンド）が読み出し指令である場合に、その指令に対応する読み出しデータをメモリ１１から読み出す。また、シーケンサ１０は、読み出しデータに対応して、変調回路１２のＦＥＴ１９がスイッチング動作される。すなわち、変調回路１２では、ＦＥＴ１９がオンされると、インピーダンス１８にループコイル４に並列に接続され、ＦＥＴ１９がオフされると、インピーダンス１８とループコイル４との並列接続が解除される。その結果、このＩＣカード１側のループアンテナ２と磁気的に結合しているＲ／Ｗ５０側のループアンテナ５４のインピーダンスが、読み出しデータに対応して変化する。したがって、ループアンテナ５４の端子電圧は、そのインピーダンスの変化に応じて変動することとなり、Ｒ／Ｗ５０は、この変動分を復調回路５３が復調することで、読み出しデータを受信することができる。
【００３７】
以上のようにして、ＩＣカード１とＲ／Ｗ５０との間で通信が行われ、ＩＣカード１に対してＲ／Ｗ５０によるデータの書き込み及び読み出しが非接触で行われる。
【００３８】
ところで、Ｒ／Ｗ５０側のループアンテナ５４は、図２に示す本発明を適用したアンテナ装置６０である。
【００３９】
このアンテナ装置６０は、例えばポリイミドやマイカ等の可撓性を有する絶縁フィルム又は基板６２の両面に形成された電解銅等の導体金属箔膜をエッチングするなどして形成したループコイル６１から構成される。なお、このループコイル６１の作製方法は、上述した例に限定されず、例えば銀ペースト等の導体ペーストを用いてループコイル６１となる導体パターンを印刷したものでもよく、或いは金属ターゲットをスパッタすることによって基板上にループコイル６１となる導体パターンを形成してもよい。
【００４０】
また、ループコイル６１は、その中心部を挟んで相対向する各巻線間の間隔及び線幅を一の方向において異ならせた非対称形状とされている。すなわち、このループコイル６１は、一の方向（図２中の上下方向）において、その各巻線間の間隔及び線幅が狭くなる下部側６１ａと、その各巻線間の間隔及び線幅が広くなる上部側６１ｂとを有している。
【００４１】
この場合、アンテナ装置６０による磁場分布は、図３に示すように、矩形アンテナの長辺におけるＺ方向の中心断面及び短辺におけるＸ方向の中心断面において、図１０に示すようなループコイル２００による対称な磁場分布とは異なり、ループコイル６１の各巻線間の間隔及び線幅が広くなる上部側６１ｂが強調された非対称なものとなる。
【００４２】
したがって、このアンテナ装置６０では、ループコイル６１を非対称形状とし、このループコイル６１による放射磁界分布を制御することによって、上述したＩＣカード１とＲ／Ｗ５０との通信可能な範囲を広げること共に、通信可能な位置を一の方向においてシフトさせることが可能である。また、このアンテナ装置６０では、ループコイル６１の大きさをＩＣカード１側のループコイル４よりも小さくすることが可能なことから、更なる小型化が可能である。
【００４３】
なお、本発明を適用したアンテナ装置６０は、上述した図３に示すループコイル６１の各巻線間の間隔及び線幅を同時に異ならせたものに限定されず、例えば図４に示すように、ループコイル６１の各巻線間の間隔のみを異ならせたものであってもよい。
【００４４】
また、ループコイル６１を非対称形状する一の方向は、放射磁界分布を広げたい任意の方向に設定することが可能である。例えば、図５及び図６に示すように、上述したＺ方向と直交するＸ方向において、ループコイル６１の各巻線間の間隔及び線幅を異ならせた非対称形状としてもよく、これらＺ方向及びＸ方向において、ループコイル６１の各巻線間の間隔及び線幅を異ならせた非対称形状としてもよい。
【００４５】
なお、図５に示すループコイル６１は、Ｚ方向において、その各巻線間の間隔及び線幅が狭くなる下部側６１ａと、その各巻線間の間隔及び線幅が広くなる上部側６１ｂとを有し、Ｘ方向において、その各巻線間の間隔及び線幅が狭くなる左部側６１ｃと、その各巻線間の間隔及び線幅が広くなる右部側６１ｄとを有している。一方、図６に示すループコイル６１は、Ｚ方向において、その各巻線間の間隔が狭くなる下部側６１ａと、その各巻線間の間隔が広くなる上部側６１ｂとを有し、Ｘ方向において、その各巻線間の間隔及び線幅が狭くなる左部側６１ｃと、その各巻線間の間隔及び線幅が広くなる右部側６１ｄとを有している。
【００４６】
このように、本発明を適用したアンテナ装置６０では、ループコイル６１を非対称形状とする方向によって、このループコイル６１の放射磁界分布を制御することが可能であり、ＩＣカード１に対するＲ／Ｗ５０の読み出し及び書き込み位置を任意に調整することが可能である。
【００４７】
次に、上述したＲＦＩＤシステムの適用例として、図７に示す通信端末装置７０について説明する。なお、この通信端末装置７０では、Ｒ／Ｗ５０用のループアンテナ５４として、上述したアンテナ装置６０を用いている。
【００４８】
この通信端末装置７０は、ＰＤＡ（Ｐｅｒｓｏｎａｌ　Ｄｉｇｉｔａｌ　Ａｓｓｉｓｔａｎｔｓ）と呼ばれるユーザが持ち運び可能な小型電子機器であり、例えば情報通信機能や、ストレージ機能、カメラ機能等を一つモジュール内に集約した構造を有している。
【００４９】
この通信端末装置７０は、本体部７１と、パネル部７２とを有し、ヒンジ機構７３を介してパネル部７２が本体部７１に対して開閉可能とされている。本体部７１には、各種操作を行うための操作ボタン等からなる入力部７４が設けられており、この入力部７４の下方には、上述したＲ／Ｗ５０のアンテナ装置６０が配置されている。
【００５０】
また、この本体部７１の内部には、各部を制御するマイクロコンピュータ（ＣＰＵ）が設けられている。一方、パネル部７２には、液晶表示パネルからなる表示部７５が設けられており、入力部７４による操作状態や、Ｒ／Ｗ５０によるＩＣカード１からの読み出しデータ等をＣＰＵの制御のもとで表示することができる。また、ヒンジ機構７３には、ＣＣＤカメラ７６が搭載されており、入力部７４を操作し、このＣＣＤカメラ７６により撮影された画像を表示部７５に表示することも可能である。
【００５１】
また、この通信端末装置７０は、小型軽量薄型化した場合の剛性を確保するために、例えば高剛性プラスチック材等の非金属筐体からなる。なお、筐体は、このような非金属なものに限らず、例えばＭｇ合金等の金属を含むものであってもよい。
【００５２】
また、アンテナ装置６０のループコイル６１は、上述した一の方向がＩＣカード１の走査方向となるように配置されており、ＩＣカード１は、この通信端末装置７０の入力部７４とは反対側、すなわちループコイル６１の各巻線間の間隔及び線幅が狭くなる下部側６１ａから走査されることになる。
【００５３】
この場合、アンテナ装置６０による磁場分布は、図８に示すように、ループコイル６１の各巻線間の間隔及び線幅が広くなる上部側６１ｂにおいて強調されたものとなる。
【００５４】
ここで、アンテナ装置６０によるＩＣカード１に誘導された電流強度のカード位置依存性を図９に示す。なお、図９において、横軸の原点０は、Ｒ／Ｗ５０側のループアンテナ５４の中心位置を示し、正方向は、ＩＣカード１が原点０から外側に向かった方向を示す。一方、縦軸は、Ｒ／Ｗ５０側のループアンテナ５４の磁界が電磁誘導によってＩＣカード１側のループアンテナ２に発生させた誘導電流強度を示し、図９中点線Ｓで示す値以上となる領域が通信可能な領域となる。なお、図９において、太線は、本発明のアンテナ装置（平面非対称型ループアンテナ）６０のグラフを示し、比較のため、上述した図１３に示す従来のループアンテナ（平面対称型ループアンテナ）１０２のグラフを細線で併せて示すものとする。
【００５５】
図９に示すように、アンテナ装置６０では、ループコイル６１の中心部を挟んで相対向する上部側６１ｂの通信可能な領域Ｓ１と、下部側６１ａの通信可能な領域Ｓ２とのうち、上部側６１ｂの通信可能な領域Ｓ１を広げることができる。したがって、この通信端末装置７０では、原点０から外側に通信可能な領域Ｓ１が連続的に広がることから、その通信性能を向上させると共に、使い勝手を向上させることが可能である。
【００５６】
【発明の効果】
以上詳細に説明したように、本発明に係るアンテナ装置によれば、ループコイルを非対称形状とすることから、このループコイルによる放射磁界分布を制御し、ＩＣカードとリーダライタとの通信可能な範囲を広げることが可能であり、更なる小型化及び高性能化が可能である。
【図面の簡単な説明】
【図１】本発明を適用したＲＦＩＤシステムの構成を示す回路図である。
【図２】本発明を適用したアンテナ装置を示す平面図である。
【図３】上記アンテナ装置による磁場分布を示す模式図である。
【図４】上記アンテナ装置の変形例を示す平面図である。
【図５】上記アンテナ装置の変形例を示す平面図である。
【図６】上記アンテナ装置の変形例を示す平面図である。
【図７】通信端末装置の構成を示す平面図である。
【図８】上記通信端末装置に配置されたアンテナ装置の磁場分布を示す模式図である。
【図９】上記アンテナ装置によるＩＣカードとの通信性能を誘導電流特性で示すグラフである。
【図１０】従来のＲＦＩＤシステムを示す模式図である。
【図１１】従来のＲ／Ｗ用のループアンテナを示す平面図である。
【図１２】上記従来のＲ／Ｗ用のループアンテナによる磁場分布を示す模式図である。
【図１３】上記従来のＲ／Ｗ用のループアンテナによるＩＣカードとの通信性能を誘導電流特性で示すグラフである。
【符号の説明】
１　ＩＣカード、２　ループアンテナ、３　ＩＣ　４　ループコイル、５　コンデンサ、６　整流回路、７　レギュレータ、８　ＨＰＦ、９　復調回路、１０シーケンサ、１１　メモリ、１２　変調回路、５０　Ｒ／Ｗ、５１　制御回路、５２　変調回路、５３　復調回路、５４　ループアンテナ、６０　アンテナ装置、６１　ループコイル、７０　通信端末装置、７１　本体部、７２　パネル部、７３　ヒンジ機構、７４　入力部、７５　表示部、７６　ＣＣＤカメラ
【図１】
2004118440.tif 000003
【図２】
2004118440.tif 000004
【図３】
2004118440.tif 000005
【図４】
2004118440.tif 000006
【図５】
2004118440.tif 000007
【図６】
2004118440.tif 000008
【図７】
2004118440.tif 000009
【図８】
2004118440.tif 000010
【図９】
2004118440.tif 000011
【図１０】
2004118440.tif 000012
【図１１】
2004118440.tif 000013
【図１２】
2004118440.tif 000014
【図１３】
2004118440.tif 000015